(57)【要約】【課題】対向する一対のシートを引き裂くと、一方側のシートの切り口と他方側のシートの切り口が揃うことがなく、それぞれの切り口を容易に指で摘まむことができる包装袋の提供。【解決手段】封止部９の重複部２１を挟んで互いに対向する部分を摘まんで引き裂き方向の力を加えると、一方側切欠き１３の底頂部１３ｄを始点として包装シート５が引き裂かれ、これと同時に他方側切欠き１７の底頂部１７ｄを始点として包装シート７が引き裂かれる。これにより、包装シート５には切り口２９が形成され、また包装シート７には切り口３１が形成されて、そして、袋本体３に開封口３３が形成される。底頂部１３ｄ、１７ｄは上下方向にずれて備えられているため、包装シート５の切り口２９と包装シート７の切り口３１には段差が生じる。従って、切り口２９、３１のそれぞれを容易に摘まむことができ、開封口３３を簡単に開くことができる。【選択図】        図１
2015083475.tif 000002
【特許請求の範囲】
【請求項１】
一対の包装シートが重ね合され、周縁部分がシールされて形成された封止部と、前記封止部によって囲まれ、内容物を収容する収容部とを有する袋本体と、前記封止部に設けられた切欠きを具備し、前記切欠きから前記一対の包装シートを引き裂いて開封口を形成する包装袋において、前記切欠きは前記一対の包装シートの一方と他方にそれぞれに形成され、一方の包装シートに形成された一方側切欠きの底頂部と他方の包装シートに形成された他方側切欠きの底頂部が前記一対の包装シートの引き裂き方向に対し交差する方向にずれ、且つ前記一方側切欠きと他方側切欠きの一部分どうしが重なる切欠き重複部が備えられ、一方側切欠きの底頂部を始点として一方の包装シートを引き裂き、他方側切欠きの底頂部を始点として他方の包装シートを引き裂いて開封して、前記一方のシートと前記他方のシートの切り口に段差を生じさせることを特徴とする包装袋。
【請求項２】
請求項１に記載した包装袋において、一方側切欠きと他方側切欠きは三角形状であることを特徴とする包装袋。
【請求項３】
請求項１または２に記載した包装袋において、一対の包装シートを引き裂いて形成される開封口と収容部との間に再封用ファスナーが設けられていることを特徴とする包装袋。
【請求項４】
請求項１から３のいずれかに記載した包装袋において、一方側切欠きの底頂部に連なる易破断部と、他方側切欠きの底頂部に連なる易破断部が形成されていることを特徴とする包装袋。
【発明の詳細な説明】
【技術分野】
【０００１】
本発明は包装袋に係り、特に開封するための切欠きが設けられた包装袋に関するものである。
【背景技術】
【０００２】
この種の包装袋として例えば特許文献１に開示されたものがある。この包装袋は重ね合された一対の包装シートの周縁部がシールされて形成された封止部を有しており、左右の封止部には包装袋を開封するための切欠きがそれぞれ形成されている。この切欠きから一対の包装シートを引き裂くことで開封口が形成される。
【先行技術文献】
【特許文献】
【０００３】
【特許文献１】特許第４８９２１４６号公報
【発明の概要】
【発明が解決しようとする課題】
【０００４】
しかしながら、上記従来の包装袋では切欠きが一対の包装シートの同じ位置に、同じ形状で備えられているので、一対の包装シートを引き裂くと一方のシートの切り口と他方のシートの切り口が揃った状態となる。このため開封口を開く際に、切り口が摘まみ難いという問題がある。特に、再封用ファスナーが設けられた包装袋では開封口を開く度に切り口を摘まむことになり、かなり使い勝手が悪いものとなってしまう。
【０００５】
本発明は上記従来の問題に着目して為されたものであり、一対のシートを引き裂いて形成された切り口が揃った状態とならず、開封口を開く際に、切り口を容易に摘まむことができる包装袋の提供を、その目的とする。
【課題を解決するための手段】
【０００６】
本発明は上記課題を解決するためになされたものであり、請求項１の発明は、一対の包装シートが重ね合され、周縁部分がシールされて形成された封止部と、前記封止部によって囲まれ、内容物を収容する収容部とを有する袋本体と、前記封止部に設けられた切欠きを具備し、前記切欠きから前記一対の包装シートを引き裂いて開封口を形成する包装袋において、前記切欠きは前記一対の包装シートの一方と他方にそれぞれに形成され、一方の包装シートに形成された一方側切欠きの底頂部と他方の包装シートに形成された他方側切欠きの底頂部が前記一対の包装シートの引き裂き方向に対し交差する方向にずれ、且つ前記一方側切欠きと他方側切欠きの一部分どうしが重なる切欠き重複部が備えられ、一方側切欠きの底頂部を始点として一方の包装シートを引き裂き、他方側切欠きの底頂部を始点として他方の包装シートを引き裂いて開封して、前記一方のシートと前記他方のシートの切り口に段差を生じさせることを特徴とする包装袋である。
【０００７】
請求項２の発明は、請求項１に記載した包装袋において、一方側切欠きと他方側切欠きは三角形状であることを特徴とする包装袋である。
【０００８】
請求項３の発明は、請求項１または２に記載した包装袋において、一対の包装シートを引き裂いて形成される開封口と収容部との間に再封用ファスナーが設けられていることを特徴とする包装袋である。
【０００９】
請求項４の発明は、請求項１から３のいずれかに記載した包装袋において、一方側切欠きの底頂部に連なる易破断部と、他方側切欠きの底頂部に連なる易破断部が形成されていることを特徴とする包装袋である。
【発明の効果】
【００１０】
本発明の包装袋によれば、一方側切欠きと他方側切欠きの重複部から一対のシートを引き裂くと、切り口に段差ができる。従って、開封口を開く際に切り口を容易に摘まむことが可能となる。よって、使い勝手のよい包装袋を得ることができる。
【図面の簡単な説明】
【００１１】
【図１】本発明の第一の実施の形態に係る包装袋の斜視図である。
【図２】図１の包装袋の正面図である。
【図３】図１の包装袋を引き裂いて開封した状態を示す正面図である。
【図４】（Ａ）は図３の縦断面図、（Ｂ）は（Ａ）の状態からファスナーを開いた状態の縦断面である。
【図５】（Ａ）は本発明の第二の実施の形態の包装袋の一部正面図、（Ｂ）は第三の実施の形態の包装袋の一部正面図である。
【発明を実施するための形態】
【００１２】
本発明の第一の実施の形態に係る包装袋１を図１から図４にしたがって説明する。
符号３は袋本体を示し、この袋本体３は重ね合わされた一対の包装シート５、７と、一方の包装シート５と他方の包装シート７の周縁部分がシールされて形成された封止部９と、封止部９によって囲まれ、内容物Ｒを収容する収容部１１によって構成されている。
【００１３】
包装シート５の上端部分の左右両側には一方側切欠き１３、１５が形成されており、また、包装シート７の上端部分の左右両側には他方側切欠き１７、１９が形成されている。
一方側切欠き１３、１５は三角形を為し対称形状に形成されている。図２に示すように一方側切欠き１３、１５は、その上側の傾斜辺１３ａ、１５ａが短く、下側の傾斜辺１３ｂ、１５ｂが長くなるように形成されている。また、一方側切欠き１３、１５の垂直辺１３ｃ、１５ｃは包装シート５の左右の辺にそれぞれ沿って真っ直ぐに延びている。更に、一方側切欠き１３、１５の底頂部１３ｄ、１５ｄは互いに対向している。すなわち、一方側切欠き１３、１５は底頂部１３ｄ、１５ｄを構成する一つの角部を互いに対向させた三角形を為している。
【００１４】
他方側切欠き１７、１９は三角形を為し対称形状に形成されている。他方側切欠き１７、１９は、その上側の傾斜辺１７ａ、１９ａが長く、下側の傾斜辺１７ｂ、１９ｂが短くなるように形成されている。また、他方側切欠き１７、１９の垂直辺１７ｃ、１９ｃは包装シート７の左右の辺にそれぞれ沿って真っ直ぐに延びている。更に、他方側切欠き１７、１９の底頂部１７ｄ、１９ｄは互いに対向している。すなわち、一方側切欠き１７、１９は底頂部１７ｄ、１９ｄを構成する一つの角部を互いに対向させた三角形を為している。
【００１５】
底頂部１３ｄ、底頂部１７ｄは上下方向にずれて備えられ、垂直辺１３ｃと垂直辺１７ｃは同じ位置に備えられ、一方側切欠き１３と他方側切欠き１７の一部分どうしは互いに重なり、この重なった部分に切欠き重複部２１が形成されている。
また、底頂部１５ｄ、１９ｄも上下方向にずれて備えられ、垂直辺１５ｃと垂直辺１９ｃは同じ位置に備えられ、一方側切欠き１５と他方側切欠き１９の一部分どうしは互いに重なり、この重なった部分に切欠き重複部２３を形成されている。
符号２５は再封用のファスナーを示し、このファスナー２５は収容部１１の上側に設けられ、左右方向へ真っ直ぐに延びている。ファスナー２５の上側には、封止部９に囲まれた開封部２７が設けられており、この開封部２７を挟んで一方側切欠き１３、１５は互いに対向して設けられ、他方側切欠き１７、１９も同様に互いに対向して設けられている。
【００１６】
この包装袋１の使用方法について説明する。
封止部９の切欠き重複部２１を挟んで互いに対向する部分を摘まんで引き裂き方向の力を加えると、図２において矢印で示すように一方側切欠き１３の底頂部１３ｄを始点として包装シート５が引き裂かれ、これと同時に他方側切欠き１７の底頂部１７ｄを始点として包装シート７が引き裂かれる。これにより、図３、図４（Ａ）に示すように、包装シート５には切り口２９が形成され、また包装シート７には切り口３１が形成されて、そして、袋本体３に開封口３３が形成される。上記のように、封止部９の切欠き重複部２１を挟んで互いに対向する部分を摘まんで引き裂き方向の力を加えるので、一度の動作で包装シート５、７を同時に切り裂くことができる。
【００１７】
前述のように底頂部１３ｄ、１７ｄは上下方向にずれて備えられているため、包装シート５の切り口２９と包装シート７の切り口３１には段差が生じる。従って、切り口２９、３１のそれぞれを容易に摘まむことができ、開封口３３を簡単に開くことができる。
図４（Ｂ）に示すように、ファスナー２５を開いて開封口３３から収容部１１に収容された内容物Ｒを取り出す。内容物Ｒを取り出し終えたら、ファスナー２５を閉じて収容部１１を再封する。
ファスナー２５を備えた包装袋１は、収容部１１から内容物Ｒを取り出す度に開封口３３を開くことになるが、切り口２９と切り口３１には段差があるため、その度に切り口２９、３１それぞれを容易に摘まむことができ、迅速に開封口３３を開くことが可能であり、包装袋１は使い勝手のよいものとなる。
【００１８】
次に、本発明の第二の実施の形態に係る包装袋３５について図５（Ａ）にしたがって説明する。
包装袋３５は、第一の実施の形態に係る包装袋１と易破断部３７、３９を設けた点を除き同様の構成を有するので、同様の構成部分については包装袋１と同じ符号を付し、その説明を省略する。
易破断部３７は包装シート５に形成され、底頂部１３ｄから底頂部１５ｄに向かって一直線に設けられている。易破断部３９は包装シート７に形成され、底頂部１７ｄから底頂部１９ｄに一直線に設けられている。
【００１９】
包装袋３５の使用方法について説明する。
包装袋３５は第一の実施の形態に係る包装袋１と同様にして、包装シート５、７を引き裂くと、底頂部１３ｄを始点として易破断部３７に沿って切り口２９が形成され、底頂部１７ｄを始点として易破断部３９に沿って切り口３１が形成される。
この包装袋３５は易破断部３７、３９が形成されているので、小さい力で包装シート５、７を引き裂くことができ、しかも包装シート５、７が確実に易破断部３７、３９に沿って切断されるので、切り口２９と切り口３１に対し段差を確実に生じさせることができる。
【００２０】
次に、本発明の第三の実施の形態に係る包装袋４１について図５（Ｂ）にしたがって説明する。
包装袋４１は、第一の実施の形態に係る包装袋１と切欠き４３、４５、４７、４９の形状を除き同様の構成を有するので、同様の構成部分については包装袋１と同じ符号を付し、その説明を省略する。
【００２１】
包装シート５の切欠き４３、４５は直角三角形を為し対称形状に形成されており、上側の水平辺４３ａ、４５ａは傾斜しておらず、水平方向へ延びている。また、水平辺４３ａ、４５ａが短く、下側の傾斜辺４３ｂ、４５ｂが長くなるように形成されている。また、切欠き４３、４５の垂直辺４３ｃ、４５ｃは包装シート５の左右の辺にそれぞれ沿って真っ直ぐに延びている。更に、切欠き４３、４５の底頂部４３ｄ、４５ｄは互いに対向している。
包装シート７の切欠き４７、４９も同様に略直角三角形を為し対称形状に形成されており、上側の傾斜辺４７ａ、４９ａが長く、下側の水平辺４７ｂ、４９ｂが短くなるように形成されている。また、切欠き４７、４９の垂直辺４７ｃ、４９ｃは包装シート５の左右の辺にそれぞれ沿って真っ直ぐに延びている。更に、切欠き４７、４９の底頂部４７ｄ、４９ｄは互いに対向している。
【００２２】
底頂部４３ｄ、４７ｄは上下方向にずれて備えられ、底頂部４５ｄ、４９ｄも上下方向にずれて備えられている。
切欠き４３、４７の一部分どうしは互いに重なり切欠き重複部５１を形成し、切欠き４５、４９の一部分どうしは互いに重なり切欠き重複部５３を形成している。
包装袋４１の使用方法は包装袋３５と同様である。
【００２３】
以上、本発明の実施の形態について詳述してきたが、具体的構成は、この実施の形態に限られるものではなく、本発明の要旨を逸脱しない範囲における設計の変更などがあっても発明に含まれる。
例えば、上記本実施の形態の一対の包装シート５、７は矩形であるが、本発明はこれに限定されず、五角形や楕円形等であってもよい。
【産業上の利用可能性】
【００２４】
包装袋の製造業や包装袋に内容物を密封する包装業において利用可能性を有する。
【符号の説明】
【００２５】
１…包装袋                      ３…袋本体
５、７…包装シート                  ９…封止部
１１…収容部                    １３…一方側切欠き
１３ａ…上側の傾斜辺              １３ｂ…下側の傾斜辺
１３ｃ…垂直辺                    １３ｄ…底頂部
１５…一方側切欠き                １５ａ…上側の傾斜辺
１５ｂ…下側の傾斜辺              １５ｃ…垂直辺
１５ｄ…底頂部                    １７…他方側切欠き
１７ａ…上側の傾斜辺              １７ｂ…下側の傾斜辺
１７ｃ…垂直辺                    １７ｄ…底頂部
１９…他方側切欠き                １９ａ…上側の傾斜辺
１９ｂ…下側の傾斜辺              １９ｃ…垂直辺
１９ｄ…底頂部                ２１、２３…切欠き重複部
２５…ファスナー                  ２７…開封部
２９、３１…切り口                  ３３…開封口
３５…包装袋                ３７、３９…易破断部
４１…包装袋                      ４３…切欠き
４３ａ…上側の水平辺              ４３ｂ…下側の傾斜辺
４３ｃ…垂直辺                    ４３ｄ…底頂部
４５…切欠き                  ４５ａ…上側の水平辺
４５ｂ…下側の傾斜辺              ４５ｃ…垂直辺
４５ｄ…底頂部                      ４７…切欠き
４７ａ…上側の傾斜辺              ４７ｂ…下側の傾斜辺
４７ｃ…垂直辺                    ４７ｄ…底頂部
４９…切欠き                  ４９ａ…上側の傾斜辺
４９ｂ…下側の傾斜辺              ４９ｃ…垂直辺
４９ｄ…底頂部                ５１、５３…切欠き重複部
【図１】
2015083475.tif 000003
【図２】
2015083475.tif 000004
【図３】
2015083475.tif 000005
【図４】
2015083475.tif 000006
【図５】
2015083475.tif 000007